(57)【要約】【課題】使用性の高い酸素富化機を提供することを目的とする。【解決手段】酸素富化手段（図示せず）を有する本体１と、前記酸素富化手段（図示せず）に連通し前記酸素富化手段（図示せず）で得られた酸素富化空気を吐出する酸素富化空気吐出手段１３とを備え、前記酸素富化空気吐出手段１３は、前記酸素富化空気の吹出し風速を変更できる構成としたもので、使用者が使用者の好みに合わせて酸素富化空気の吹出し風速を可変調整することができる使用性の高い酸素富化機を提供できる。【選択図】図１２
2005111041.tif 000002
【特許請求の範囲】
【請求項１】
酸素富化手段を有する本体と、前記酸素富化手段に連通し前記酸素富化手段で得られた酸素富化空気を吐出する酸素富化空気吐出手段とを備え、前記酸素富化空気吐出手段は、前記酸素富化空気の吹出し風速を変更できる構成とした酸素富化機。
【請求項２】
酸素富化手段を有する本体と、前記酸素富化手段に連通し前記酸素富化手段で得られた酸素富化空気を吐出する酸素富化空気吐出手段とを備え、前記酸素富化空気の吹出し流量を変更できる構成とした酸素富化機。
【請求項３】
酸素富化手段を有する本体と、前記酸素富化手段に連通し前記酸素富化手段で得られた酸素富化空気を吐出する酸素富化空気吐出手段とを備え、前記酸素富化空気の吹出し風速および吹出し流量を変更できる構成とした酸素富化機。
【請求項４】
酸素富化空気吐出手段は、酸素富化空気の吹出し風速の停止と強弱変更を行う構成とした請求項１または３記載の酸素富化機。
【請求項５】
酸素富化空気吐出手段は、酸素富化空気の吹出し流量の停止と強弱変更を行う構成とした請求項２または３記載の酸素富化機。
【請求項６】
酸素富化空気吐出手段は、酸素富化空気の吹出し風速および吹出し流量の停止と強弱変更を行う構成とした請求項３記載の酸素富化機。
【請求項７】
酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し風速を変更できる構成とした請求項１または４記載の酸素富化機。
【請求項８】
酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し流量を変更できる構成とした請求項２または５記載の酸素富化機。
【請求項９】
酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し風速および吹出し流量を変更できる構成とした請求項３または６記載の酸素富化機。
【請求項１０】
酸素富化空気吐出手段は、酸素富化空気の吹出し方向を変更できる構成とした請求項１〜９のいずれか１項に記載の酸素富化機。
【請求項１１】
酸素富化空気吐出手段は、酸素富化空気を吐出する吐出部を備え、前記吐出部が本体に対して回動することで、酸素富化空気の吹出し方向を変更できる構成とした請求項１０記載の酸素富化機。
【請求項１２】
酸素富化手段を有する本体と、前記酸素富化手段に連通し前記酸素富化手段で得られた酸素富化空気を吐出する酸素富化空気吐出手段とを備え、前記酸素富化空気吐出手段に音声出力部を一体に設けた酸素富化機。
【請求項１３】
外部の音声発生源からの音声信号を音声出力部へ伝達または送受信する制御手段を本体に設けた請求項１２記載の酸素富化機。
【請求項１４】
外部の音声発生源からの音声信号を音声出力部へ伝達または送受信する制御手段を有する中継装置を備えた請求項１２記載の酸素富化機。
【請求項１５】
酸素富化空気吐出手段に、使用者の肩に装着する装着手段を設けた請求項１〜１４のいずれか１項に記載の酸素富化機。
【請求項１６】
酸素富化空気吐出手段に、挟み機能を有する挟み部を一体に形成した請求項１〜１４のいずれか１項に記載の酸素富化機。
【請求項１７】
酸素富化空気吐出手段に、愛玩動物や家畜や鳥獣の口元またはその周囲近傍に装着可能な装着手段を設けた請求項１〜１４のいずれか１項に記載の酸素富化機。
【請求項１８】
酸素富化手段を有する本体と、前記本体より導出するとともに前記酸素富化手段で得られた酸素富化空気を通す連結管と、この連結管に接続した酸素富化空気吐出手段とを備え、前記連結管を前記本体に収納する連結管収納手段を設けた請求項１〜１７のいずれか１項に記載の酸素富化機。
【請求項１９】
連結管収納手段は、巻取り機構である請求項１８記載の酸素富化機。
【請求項２０】
巻取り機構は、駆動手段にて自動的に連結管を巻き取るよう構成した請求項１８記載の酸素富化機。
【発明の詳細な説明】
【技術分野】
【０００１】
本発明は、酸素富化空気を使用者に提供する酸素富化機に関するものである。
【背景技術】
【０００２】
従来の酸素富化機としては、空気中の酸素を濃縮して酸素富化空気を発生させる装置本体と、これに接続された酸素吐出部と、音声発生源と、ヘッドホンタイプの音声出力部等を備え、前記酸素吐出部と前記音声出力部を一体にし、前記酸素吐出部を人体の口の部分に位置させることで酸素吸入できるようにしてある（例えば、特許文献１参照）。
【特許文献１】特開平３−６３０６７号公報
【発明の開示】
【発明が解決しようとする課題】
【０００３】
しかしながら前記従来の構成においては、酸素富化空気の吹出し風速及び風量が一定である為、使用している間に吹出し風が当たっている口元の皮膚の感覚が麻痺してしまい、風速及び風量が弱まったように感じられてしまうという課題があった。また、冬場などの寒い時期に使用した場合、吹出し風の気温が低い為吹出し風が当たっている口元の皮膚が冷たく感じられるという課題があった。
【０００４】
次に、本体内に音声発生源を設けている為、本体が大きく、重くなるという課題があった。近年、音声発生源としてはラジオ、カセットテープ、ＭＤ、ＣＤ等多種類の媒体を使用したプレイヤー等の音響機器が存在し、その全ての媒体に対応する装置を音声発生源として本体内設けることは更に本体の大型化、重量アップにつながるものであった。
【０００５】
また、酸素吐出部がヘッドホンタイプの音声出力部に一体に形成されているため、装着性にも問題があった。
【０００６】
さらに、人間しかうまく装着できないという課題もあった。
【０００７】
また、酸素吐出部の収納性が悪いという問題もあった。
【０００８】
本発明は、前記従来の課題を解決するもので、使用性の高い酸素富化機を提供することを目的とする。
【課題を解決するための手段】
【０００９】
前記従来の課題を解決するために本発明は、酸素富化手段を有する本体と、前記酸素富化手段に連通し前記酸素富化手段で得られた酸素富化空気を吐出する酸素富化空気吐出手段とを備え、前記酸素富化空気吐出手段は、前記酸素富化空気の吹出し風速を変更できる構成としたもので、使用者が使用者の好みに合わせて酸素富化空気の吹出し風速を可変調整することができる使用性の高い酸素富化機を提供できる。
【００１０】
また、酸素富化手段を有する本体と、前記酸素富化手段に連通し前記酸素富化手段で得られた酸素富化空気を吐出する酸素富化空気吐出手段とを備え、前記酸素富化空気吐出手段に音声出力部を一体に設けた酸素富化機で、本体内に音声発生源を設けることなく本体を小型、軽量に構成できるとともに、他のラジオ、カセットテープ、ＭＤ、ＣＤ等多種類の各媒体を使用したプレイヤー等の各々の音響機器からの音声信号を伝達または送受信して音楽や聴覚学習を聞くことができる使用性の高い酸素富化機を提供できる。
【発明の効果】
【００１１】
以上のように本発明によれば、使用性の高い酸素富化機を提供できる。
【発明を実施するための最良の形態】
【００１２】
第１の発明は、酸素富化手段を有する本体と、前記酸素富化手段に連通し前記酸素富化手段で得られた酸素富化空気を吐出する酸素富化空気吐出手段とを備え、前記酸素富化空気吐出手段は、前記酸素富化空気の吹出し風速を変更できる構成とした酸素富化機で、使用者が使用者の好みに合わせて酸素富化空気の吹出し風速を可変調整することができ使用性の高い酸素富化機を提供できる。
【００１３】
第２の発明は、酸素富化手段を有する本体と、前記酸素富化手段に連通し前記酸素富化手段で得られた酸素富化空気を吐出する酸素富化空気吐出手段とを備え、前記酸素富化空気の吹出し流量を変更できる構成とした酸素富化機で、使用者が使用者の好みに合わせて酸素富化空気の吹出し流量を可変調整することができ使用性の高い酸素富化機を提供できる。
【００１４】
第３の発明は、酸素富化手段を有する本体と、前記酸素富化手段に連通し前記酸素富化手段で得られた酸素富化空気を吐出する酸素富化空気吐出手段とを備え、前記酸素富化空気の吹出し風速および吹出し流量を変更できる構成とした酸素富化機で、使用者が使用者の好みに合わせて酸素富化空気の吹出し風速および吹出し流量を可変調整することができ使用性の高い酸素富化機を提供できる。
【００１５】
第４の発明は、酸素富化空気吐出手段は、酸素富化空気の吹出し風速の停止と強弱変更を行う構成としたもので、使用者の好みに合わせて酸素富化空気の吹出し風速を可変調整することができるとともに、使用中に一時的に酸素富化空気の吹出しを停止したい時に、本体の運転を停止することなく、あるいはタイマー時間を設定しなおすこともなく容易に一時的な吹出しの停止ができる。
【００１６】
第５の発明は、酸素富化空気吐出手段は、酸素富化空気の吹出し流量の停止と強弱変更を行う構成としたもので、使用者の好みに合わせて酸素富化空気の吹出し風量を可変調整することができるとともに、使用中に一時的に酸素富化空気の吹出しを停止したい時に、本体の運転を停止することなく、あるいはタイマー時間を設定しなおすこともなく容易に一時的な吹出しの停止ができる。
【００１７】
第６の発明は、酸素富化空気吐出手段は、酸素富化空気の吹出し風速および吹出し流量の停止と強弱変更を行う構成としたもので、使用者の好みに合わせて酸素富化空気の吹出し風速や吹出し風量を可変調整することができるとともに、使用中に一時的に酸素富化空気の吹出しを停止したい時に、本体の運転を停止することなく、あるいはタイマー時間を設定しなおすこともなく容易に一時的な吹出しの停止ができる。
【００１８】
第７の発明は、酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し風速を変更できる構成としたもので、簡易な構成および低コストで、使用者の好みに合わせて酸素富化空気の吹出し風速を可変調整することができる機能を実現できる。
【００１９】
第８の発明は、酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し流量を変更できる構成としたもので、簡易な構成および低コストで、使用者の好みに合わせて酸素富化空気の吹出し風量を可変調整することができる機能を実現できる。
【００２０】
第９の発明は、酸素富化空気吐出手段は、連通口を有し酸素富化空気を吐出する吐出部と、同じく連通口を有し前記吐出部の上流側に設けられた通過部とを備え、前記吐出部と前記通過部との相対位置の変化により、酸素富化空気の吹出し風速および吹出し流量変更できる構成としたもので、簡易な構成および低コストで、使用者の好みに合わせて酸素富化空気の吹出し風速および吹出し風量を可変調整することができる機能を実現できる。
【００２１】
第１０の発明は、酸素富化空気吐出手段は、酸素富化空気の吹出し方向を変更できる構成としたもので、酸素富化空気の吐出部の吹出し角度を自由に可変調整することで、吹出し方向を自由に設定できる。
【００２２】
第１１の発明は、酸素富化空気吐出手段は、酸素富化空気を吐出する吐出部を備え、前記吐出部が本体に対して回動することで、酸素富化空気の吹出し方向を変更できる構成としたもので、酸素富化空気の吐出部の吹出し角度を自由に可変調整することで、吹出し方向を自由に設定できる。
【００２３】
第１２の発明は、酸素富化手段を有する本体と、前記酸素富化手段に連通し前記酸素富化手段で得られた酸素富化空気を吐出する酸素富化空気吐出手段とを備え、前記酸素富化空気吐出手段に音声出力部を一体に設けた酸素富化機で、他のラジオ、カセットテープ、ＭＤ、ＣＤ等多種類の各媒体を使用したプレイヤー等の各々の音響機器からの音声信号を伝達または送受信して音楽や聴覚学習を聞くことができる。
【００２４】
第１３の発明は、外部の音声発生源からの音声信号を音声出力部へ伝達または送受信する制御手段を本体に設けたもので、本体内に音声発生源を設けることなく本体を小型、軽量に構成できるとともに、他のラジオ、カセットテープ、ＭＤ、ＣＤ等多種類の各媒体を使用したプレイヤー等の各々の音響機器からの音声信号を伝達または送受信して音楽や聴覚学習を聞くことができる。
【００２５】
第１４の発明は、外部の音声発生源からの音声信号を音声出力部へ伝達または送受信する制御手段を有する中継装置を備えたもので、本体内に音声発生源及び外部の音声発生源からの音声信号を音声出力部へ伝達または送受信する制御手段を設けることなく、本体を小型、軽量に構成できるとともに、他のラジオ、カセットテープ、ＭＤ、ＣＤ等多種類の各媒体を使用したプレイヤー等の各々の音響機器からの音声信号を音声出力部へ伝達または送受信して音楽や聴覚学習を聞くことができる。
【００２６】
第１５の発明は、酸素富化空気吐出手段に、使用者の肩に装着する装着手段を設けたもので、長時間の使用で耳が痛い、頭に圧迫感がある等の問題を解消するとともに、頭の大きい小さい、髪の毛が多い、長い少ない、短い等があって安定して装着しにくい等の問題を解消し、安定よく装着できる。
【００２７】
第１６の発明は、酸素富化空気吐出手段に、挟み機能を有する挟み部を一体に形成したもので、挟み部にて、椅子、机、車のシート、家具の端、服の胸元や胸ポケットや襟、等どこにでも取付けて使用することができる。
【００２８】
第１７の発明は、酸素富化空気吐出手段に、愛玩動物や家畜や鳥獣の口元またはその周囲近傍に装着可能な装着手段を設けたもので、人間だけでなく、人に飼育された鳥獣にも使用することができる効果がある。
【００２９】
第１８の発明は、酸素富化手段を有する本体と、前記本体より導出するとともに前記酸素富化手段で得られた酸素富化空気を通す連結管と、この連結管に接続した酸素富化空気吐出手段とを備え、前記連結管を前記本体に収納する連結管収納手段を設けたもので、連結管が邪魔にならず、本体にスッキリと収納できる。
【００３０】
第１９の発明は、連結管収納手段は、巻取り機構であるもので、連結管が邪魔にならず、本体にスッキリと収納できるとともに、巻取り機構を使用者に安価に提供できる効果がある。
【００３１】
第２０の発明は、巻取り機構は、駆動手段にて自動的に連結管を巻き取るよう構成したもので、連結管が邪魔にならず、本体にスッキリと収納できるとともに、巻取り機構を駆動手段を用いて楽に操作することができるため、使用性が向上する。
【００３２】
以下、本発明の実施の形態について、図面を参照しながら説明する。なお、この実施の形態によって本発明が限定されるものではない。
【００３３】
（実施の形態１）
以下、本発明の第１の実施の形態について図面を用いて説明する。
【００３４】
図６において、本体１の内部には、酸素の濃度を高め、いわゆる酸素富化空気を発生する、例えば酸素富化膜ユニット等の酸素富化手段（以下、「酸素富化膜ユニット」と称す）２を設けている。前記酸素富化膜ユニット２は有機高分子の平膜より構成され、膜を通過する分子の速度の差を利用するもので、空気中の窒素に比べ酸素をよく通すため、比較的高い酸素濃度のいわゆる酸素富化空気が得られる。通常の空気において酸素が占める割合は約２１％（窒素約７９％）であるが、本実施の形態の酸素富化膜ユニット２を通過後の酸素富化空気においては、酸素が占める割合が約３０％（窒素約７０％）となる。
【００３５】
また、前記酸素富化膜ユニット２は、図１０、図１１に示すようにメッシュ構造のフレーム３の両側面に略長方形の酸素富化膜４を貼って両膜間を通路としたモジュール５を、複数枚積層した略直方体のユニット構造となっており、フレーム３の通路内を吸引することにより、酸素富化膜４の周辺を流れる空気の一部が酸素富化膜４を通過してフレーム３の通路内に入りこみ、酸素富化空気が得られ、この得られた酸素富化空気を酸素富化膜ユニット２の唯一の排出口であるユニット排出口６から集中排気している。
【００３６】
また、図５、図６、図７、図９に示すように、本体１の内部には、本体１の背面に設けた吸気口７から本体１内に外気を吸引し、酸素富化膜ユニット２に送った後、酸素富化膜４を通過しフレーム３の通路内に吸引された空気を除いた外気を、本体１の側面に設けた排気口８から外部に排出するためのモータファン等の送風部（以下、「ファン」と称す）９を有している。また前記ファン９は、酸素富化膜ユニット２の下流側で、排気口８の近傍に設けられており、ファン９に対して、酸素富化膜ユニット２の反対側には回路７０を基板がフレーム３と平行な方向になるように取り付けられている。
【００３７】
１０はポンプ等の吸引手段（以下、「ポンプ」と称す）で、本体１内の酸素富化膜ユニット２の下方に設けられ、回転軸の両端に冷却用のファン１０ｂを有し、本体１の冷却用吸気口３６より外気を吸引してモータ１０ａを冷却するとともに、酸素富化膜ユニット２の周辺の空気を酸素富化膜４からフレーム３の通路内に吸引して下流側に送る。そして更にこのポンプ１０は、酸素富化膜４を通過した後の酸素富化空気を、下流側の消音パイプ１１を介して、本体１の側面に設けられた吐出部部１２に送り、さらに吐出部１２と連結される後述の「酸素富化空気吐出手段」に送り込んでいる。また前記ポンプ１０には、酸素富化膜４の通過圧損に対抗して酸素富化空気の流量を稼ぐために運転時の圧力が高いベローズポンプが用いられている。
【００３８】
更に前記ポンプ１０は、図８に示すように、板金３７に取りつけられ、防振材３８、３９を介して本体１の底部ボスに嵌合して取り付けられている。ボスからの抜けを防止するワッシャ４０、ビス４１で留められている。さらに本体１は防振機能を持つ脚４２を底面に設けている。ポンプ１０の駆動源であるモータ１０ａの過熱防止のための温度ヒューズ４３はクッション４５によってモータ１０ａに接触する方向に付勢して取り付けられている。
【００３９】
また、図７、図９に示すように、１４は本体１の把手であり、回転軸部１５を中心に回動自在に設けられている。また１６、１７は、内ケース左、内ケース右であり、酸素富化膜ユニット２とポンプ１０を内蔵する内ケースを構成し、それぞれの上方に把手１４の回転軸部１５を直接受ける軸受け部１８、１９を一体に設けている。また２０は後述する「酸素富化空気吐出手段」を使用しない時に、引っ掛けて保持しておくための、保持部であり、その外端は大径部としてある。前記保持部２０は前記把手１４の回転軸部１５と一体に設けられており、本体１の側面に別途設ける必要が無く、把手１４の回動の邪魔になることもない。また回転軸部１５と一体に設けられているため、外観のデザイン性も違和感が無く、良いものである。
【００４０】
また、図１３の要部概略構成図に示すように、本体１内のポンプ１０と、酸素富化膜ユニット２のユニット排出口６との間の経路において、外気導入切替用の電磁弁４７を有し、運転終了前に約１分間、電磁弁４７を開いて酸素富化膜４を通過していない外気を吸入してポンプ１０により下流側に送る送風運転を行なうことにより、配管内等に滞留した高湿度の空気を換気し、水滴が発生した場合は、後述する「液だまり」まで追い出し、途中の経路が乾きやすいように構成してある。また、図１３に示すように外気導入切替用の電磁弁４７の上流には、ＨＥＰＡフィルター４８が設けられており、外気を導入する際に、前記ＨＥＰＡフィルター４８により、０．３ミクロンの粒子を９９．７％除去できるように構成されている。なお、上記送風運転はタイマーによる通常運転の終了後、所定（この実施の形態では７秒）時間の停止状態を経て自動的に実行される。またタイマーによる通常運転を途中で停止するため切スイッチを操作した時も同様に送風運転を経て停止する。
【００４１】
一方、図１２に示すように、１３は、本体１側面に回動可能に取り付けた曲がり管によって構成された吐出部部１２に送られた酸素富化空気を、使用者に供給するためのヘッドセットユニット等の酸素富化空気吐出手段（以下、「ヘッドセットユニット」と称す）であり、前記ヘッドセットユニット１３は使用者が酸素富化空気を吸引するための吐出体２１を有している。また、本体１の側面に設けた吐出部１２とヘッドセットユニット１３との間の経路には、液だまり２２と、吐出部１２と前記液だまり２２とを接続する塩化ビニル等の柔軟な透明チューブからなる第一の連結管２３と、前記液だまり２２と前記ヘッドセットユニット１３を接続する塩化ビニル等の透明チューブからなる柔軟な第二の連結管２４とを備えている。そして上記第一の連結管２３と、第二の連結管２４は抗菌剤か帯電防止剤あるいはその両方を含んでおり、それぞれは液だまり２２で着脱自在に接続されている。
【００４２】
また、前記ヘッドセットユニット１３は、耳当て部左２５と、耳当て部右２６と、耳当て部左２５と耳当て部右２６を接続するヘッドバンド２７と、酸素富化空気の吐出体２１と、耳当て部左２６の底面２８に着脱自在に連結され前記底面２８と吐出体２１を接続するとともに折り曲げ自在に設けられた可橈性自在継手部２９とを備えている。吐出体２１は可橈性自在継手部２９に対して３６０度全方向に可変自在に取り付けられている。また、液だまり２２にその一端を接続された前記第二の連結管２４も、前記可橈性自在継手部２９同様、その他端を、ヘッドセットユニット１３の耳当て部左２５の底面２８に着脱自在に連結されている。
【００４３】
前記液だまり２２はＯリングで気密を保ちながら、ねじ方式あるいは圧入方式等により、その本体部分が２２ａと２２ｂの２つに分離可能に設けられ、本体部分を２つに分離して内部に溜まった水滴等を排出可能に設けられている。この時ねじ方式では１回転以内のねじりにより分離・結合が可能となるようにしてある。また、液だまり２２と第一の連結管２３との接続部、及び前記液だまり２２と第二の連結管２４との接続部から、それぞれ前記液だまり２２内に突き出た管部Ａ３０、管部Ｂ３１を設けるとともに、前記管部Ａ３０と管部Ｂ３１は、互いの管の中心軸をずらして設けてある。
【００４４】
一方、ヘッドセットユニット１３に設けた前記吐出体２１は、図１、図２に示すように吐出部本体２１ａと外部蓋体２１ｂとがＯリングで気密を保ちながら、ねじ方式あるいは圧入方式等により開閉自在に構成され、その内側に内部蓋体２１ｃが取り付けられている。その表面近傍の上流側に、抗菌材アメニトップのＨＥＰＡフィルター等の高捕集効率フィルター（以下、「抗菌材アメニトップのＨＥＰＡフィルター」と称す）３５を、表面近傍の下流側に、ハニカム基材に酵素を添着したバイオ除菌フィルター等の除菌フィルター（以下、「バイオ除菌フィルター」と称す）３４をそれぞれ有している。また、芳香剤を含浸した球状体４６を内蔵している。そして、前記バイオ除菌フィルター３４は、キャッチした菌などの活動を抑制し、さらにウイルスの活動も抑制する。また前記抗菌材アメニトップのＨＥＰＡフィルター３５は、０．３ミクロンの粒子を９９．７％除去するとともに、抗菌材アメニトップの働きで捕集した菌、カビの活動を制御するものであり、更に球状体４６は吐出空気に香をつけるものである。
【００４５】
また、図９に示す３２は本体１の天面に設けられた運転スイッチであり、３３は、同じく本体１の天面に設けられ、選択されたタイマーによる運転時間あるいは送風運転の通電状態を表示するランプである。そして５０は本体１の前面に設けられ、高酸素濃度のいわゆる酸素富化空気の供給をしている）時のみ点灯表示する表示手段で、ＬＥＤで構成してあり、この実施例では緑色に光るように構成してある。
【００４６】
次に、上記構成に基づく本実施の形態の動作について、説明する。
【００４７】
運転スイッチ３２をＯＮ操作すると、ポンプ１０に動作電源が供給され通電状態を示すランプ３３が点灯するとともに、タイマーで設定した時間に応じてポンプ１０が運転し、かつファン９が作動する。そしてファン９の運転により本体１に設けた吸気口７より外気が吸引され、この外気は酸素富化膜ユニット２を通り、排気口８から本体外に排出される。一方、前記酸素富化膜ユニット２を通る外気はこれを通過する際、ポンプ１０の運転により空気が酸素富化膜ユニット２のフレーム３内に吸引され、その際酸素が通過しやすいところから酸素富化された空気となる。そしてこの酸素富化空気は吐出部部１２に送出され、当該吐出部部１２より吐出される。
【００４８】
上記吐出部部１２より吐出される酸素富化空気は、第１、第２連結管２３、２４を介してヘッドセットユニット１３の吐出体２１より吐出される。したがって、使用者はヘッドセットユニット１３を頭部にセットし、可橈性自在継手部２９を動かして吐出体２１を使用者の口や鼻に近づけることにより、吐出体２１から吐出される酸素富化空気を、口や鼻から吸引できるようになる。
【００４９】
ここで、ヘッドセットユニット１３に設けた前記吐出体２１は、図１、図２に示すように、複数の連通口を有する酸素富化空気の吐出部である外部蓋体２１ｂを回転させ、前記外部蓋体２１ｂの上流側に設けられ、同じく複数の連通口を有する連通部である内部蓋体２１ｃとの各々の連通口の相対位置を変更することで、前記外部蓋体２１ｂ回転の角度によって、酸素富化空気が吹き出す外部蓋体２１ｂの連通口が１箇所の状態から３箇所に増え、更に５箇所まで増やすことができる。つまり、外部蓋体２１ｂに形成され中央に配設された３箇所の連通口と、内部蓋体２１ｃに形成され中央に配設された３箇所の連通口とは、外部蓋体２１ｂを回転させたときの任意の位置においては、上下方向において対向する位置に配設されているから、前記現象が生じるのである。
【００５０】
つまりポンプ１０からの吹き出す風量が一定に制御されているとすれば、吹き出す連通口が１箇所の場合、吐出体２１の通路面積は狭くなり、吹き出す風速は速くなる。逆に吹き出す連通口が５箇所の場合、吐出体２１の通路面積は広く拡大される為、吹き出す風速は遅くなることになる。
【００５１】
使用者が外部蓋体２１ｂを回転させることにより自由に吐出体２１から吹き出す風速を調整することができ、使用している間に吹出し風が当たっている口元の皮膚の感覚が麻痺してしまい、風速が弱まったように感じられてしまった場合は、外部蓋体２１ｂを回転させて吹き出す連通口が１箇所になる位置にすれば、吹き出す風速は速くなり、勢い良く口元に酸素富化空気を当てることができる。逆に、冬場などの寒い時期に使用した場合、吹出し風の気温が低い為に吹出し風が当たっている口元の皮膚が冷たく感じられるという時には、外部蓋体２１ｂを回転させて吹き出す連通口が５箇所になる位置にすれば、吹き出す風速は遅くなり、口元に酸素富化空気を弱く柔らかに当てることができる。
【００５２】
次に、ポンプ１０からの吹き出す風量が特に一定に制御されていない場合には、まず吹き出す連通口が塞がれて閉まった状態では、当然吹き出す風量は停止状態となる。次に、吹き出す連通口が１箇所になる位置では、通路面積が狭くなる為、吹き出す風量は少なくなる為、冬場などの寒い時期に使用した場合、吹出し風の気温が低い為に吹出し風が当たっている口元の皮膚が冷たく感じられるという時には、外部蓋体２１ｂを回転させて吹き出す連通口が１箇所になる位置にすれば、吹き出す風量は少なくなり、口元に酸素富化空気を弱く柔らかに当てることができる。逆に、吹き出す連通口が５箇所になる位置では、通路面積が広く拡大される為、吹き出す風量は多くなる為、使用している間に吹出し風が当たっている口元の皮膚の感覚が麻痺してしまい、風速が弱まったように感じられてしまった場合は、外部蓋体２１ｂを回転させて吹き出す連通口が５箇所になる位置にすれば、吹き出す風量は多くなり、勢い良く口元に酸素富化空気を当てることができる。
【００５３】
図３は、他の吐出体２１の形態を示すもので、開口面積の異なる複数の連通口を有する連通部である外部蓋体２１ｂを回転させる。前記外部蓋体２１ｂを回転させることで、酸素富化空気の吐出部である吐出部本体２１ａの連通口と対向する前記外部蓋体２１ｂの連通口が変更できる。つまり、前記外部蓋体２１ｂを回転させることで、前記吐出部本体２１ａが有する連通口が塞がれて閉まった状態から、徐々に開口面積の大きい外部蓋体２１ｂが有する連通口と吐出部本体２１ａの連通口とを対向させ、連通させていくことで、通路面積を拡大することができる。
【００５４】
また、逆に回転させれば徐々に通路面積を縮小することができる。まず吹き出す連通口が塞がれて閉まった状態では、当然吹き出す風量は停止状態となる。次からは上記と同様にして、使用者が外部蓋体２１ｂを回転させることにより吐出体２１の通路面積を可変し、自由に吐出体２１から吹き出す風速または風量を調整することができる。また、吹き出す連通口が塞がれて閉まった状態では、当然吹き出す風量、風速は停止状態となる為、使用中に一時的に吹出しを停止したい時に本体１の運転を停止することなく、あるいはタイマー時間を設定しなおすこともなく容易に一時的な酸素富化空気吹出しの停止ができる。
【００５５】
図４は、他の吐出体２１の形態を示すもので、使用者が外部蓋体２１ｂを回転させることにより吐出体２１のシャッター２１ｄが無段階に動作し、通路面積を無段階に可変することが可能で、上記と同様にして、吹き出す連通口が塞がれて閉まった状態から無段階に吐出体２１から吹き出す風速または風量を調整することができる。
【００５６】
また、可橈性自在継手部２９に対して吐出体２１が３６０度全方向に可変自在に設けられている為、吐出体２１を回動させることにより吐出体２１からの酸素富化空気の吹き出す方向を３６０度全方向に可変自在に自由に設定することができる。
【００５７】
（実施の形態２）
図１４は、第２の実施の形態を示すもので、ヘッドセットユニット１３の耳当て部左２５と耳当て部右２６とに各々音声出力部５１が一体に設けられており、ラジオ、カセットテープ、ＭＤ、ＣＤ等多種類の各媒体を使用したプレイヤー等の各々の音響機器等を含む外部の音声発生源５２からの音声信号は、本体１に内蔵された音声制御手段５３を介して音声出力部５１へ伝達または送受信される。
【００５８】
また、第一の連結管２３を本体１に収納する連結管巻取り機構５７が設けられており、使用者は手動で巻き取るよう構成されている。
【００５９】
上記構成により、本体１内に音声発生源５２を設ける必要がなく本体１を小型、軽量に構成できるとともに、既に別の用途として所有し、使用しているラジオ、カセットテープ、ＭＤ、ＣＤ等多種類の各媒体を使用したプレイヤー等の各々の音響機器からの音声信号を伝達または送受信して音楽や聴覚学習を酸素富化空気の吸引をしながら聞くことができる。また、連結管巻取り機構５７が設けられている為、使用しない時には第一の連結管２３を邪魔にならないように本体１に巻き取ってスッキリと収納できるとともに、連結管巻取り機構５７を手動で巻き取るよう構成したことにより使用者に安価に提供できる。
【００６０】
また、図１５は、上記音声制御手段５３を内蔵した中継装置５４を本体１とは別に設けた形態を示すもので、本体１内に音声制御手段５３を設ける必要がなく本体１を更に小型、軽量に構成できるとともに、既に別の用途として所有し、使用しているラジオ、カセットテープ、ＭＤ、ＣＤ等多種類の各媒体を使用したプレイヤー等の各々の音響機器からの音声信号を伝達または送受信して音楽や聴覚学習を酸素富化空気の吸引をしながら聞くことができる。また、連結管巻取り機構５７を電動機等の駆動手段５８（図示せず）にて自動で巻き取るよう構成したされており、使用者は、連結管巻取り機構５７を駆動手段５８を用いて楽に操作することができる。ここで、音声発生源５２から音声制御手段５３、音声制御手段５３から音声出力部５１への音声信号を無線による送受信とした場合は、有線による音声信号の伝達に比べ配線が邪魔にならず使用性が向上することはいうまでもないことである。
【００６１】
（実施の形態３）
図１６、図１７、図１８は、第３の実施の形態を示すもので、他の酸素富化空気吐出手段として、使用者の首元周囲近傍に装着可能で且つ肩掛け装着を可能とする装着手段である略Ｕ字状または環状に構成した肩掛けユニット５５ａ、５５ｂで、肩掛けベルト５６のほぼ中央に可橈性自在継手部２９及び吐出体２１が形成されている。５１は、音声出力部である。
【００６２】
上記構成により、長時間の使用で耳が痛い、頭に圧迫感がある等の問題を解消するとともに、頭の大きい小さい、髪の毛が多い、長い少ない、短い等があって安定して装着しにくい等の問題を解消し、安定よく装着できるものである。
【００６３】
また、図１９は、音声出力部５１を有する他の酸素富化空気吐出手段として挟み部５９を可橈性自在継手部２９及び吐出体２１に一体に構成した形態を示すもので、挟み部５９にて椅子、机、車のシート、家具の端、服の胸元や胸ポケットや襟、等どこにでも取り付けて使用することができるものである。
【００６４】
また、図２０、図２１は、音声出力部５１を有する他の酸素富化空気吐出手段として、酸素富化空気吐出手段の吐出体２１を犬、猫、猿、栗鼠、兎、熊、オオム、アヒル、インコ、トカゲ、ワニ、亀等の愛玩動物及び羊、馬、牛、豚、鶏、鴨等の家畜を含む人に飼育された鳥獣の口元周囲近傍に装着可能に構成したペットマスクユニット６０と猿轡状に装着可能に構成した猿轡ユニット６１の形態を示すもので、人間だけでなく、人に飼育された鳥獣にも使用することができるものである。
【００６５】
なお、上記実施の形態において、酸素富化空気吐出手段として、使用者が頭部に装着するヘッドセットユニット１３や肩掛けユニット５５を例示したが、これに限定されるものではなく、マイクスタンドタイプ、首部あるいは背中部にかけるタイプでも支障がなく、また腕の一部や胴体の一部にマジックテープ（登録商標）等で巻きつけるタイプでも支障がなく、さらにネクタイ等の衣服の一部にピン等で止めるタイプでも支障がなく、もちろん防塵マスクのように耳等を使って顔の一部を覆うタイプでも支障がないものである。
【００６６】
また上記実施の形態では表示手段としてＬＥＤで構成したがランプ等であってもよく、また、点灯ではなく輝度を変えたり点滅させるなどしてもよく、所期の目的を達成するものであればどのように構成してもよいものである。
【産業上の利用可能性】
【００６７】
以上のように、本発明にかかる酸素富化機は、使用性を向上できるので、家庭用を問わず業務用の酸素富化機においても有用である。
【図面の簡単な説明】
【００６８】
【図１】本発明の第１の実施の形態におけるヘッドセットユニットの吐出部の詳細を表す断面図
【図２】同吐出部構成部品の分解斜視図
【図３】同他の吐出部の形態を示す構成部品の分解斜視図
【図４】同他の吐出部の形態を示す斜視図
【図５】同酸素富化機を示す本体の側面からみた断面図
【図６】同本体の背面からみた断面図
【図７】同本体の天面からみた断面図
【図８】同ポンプの取付け部を示す要部断面図
【図９】（ａ）同本体の正面図（ｂ）同本体の側面図（ｃ）同本体の背面図（ｄ）同本体の平面図
【図１０】同酸素富化膜ユニットを構成するモジュールの分解斜視図
【図１１】（ａ）同モジュールを複数枚並べた状態の外観斜視図（ｂ）同モジュールで構成される酸素富化膜ユニットの外観斜視図
【図１２】同ヘッドセットを本体に接続した状態を示す外観斜視図
【図１３】同酸素富化空気の供給経路の要部を示す概略構成図
【図１４】本発明の第２の実施の形態を示す構成斜視図
【図１５】同他の形態を示す構成斜視図
【図１６】本発明の第３の実施の形態を示す構成斜視図
【図１７】同他の形態を示す構成斜視図
【図１８】同使用状態を示す概略斜視図
【図１９】同他の形態（挟み部）を示す構成斜視図
【図２０】同他の形態（ペットマスクユニット）を示す構成斜視図
【図２１】同他の形態（猿轡ユニット）を示す構成斜視図
【符号の説明】
【００６９】
１  本体
２  酸素富化膜ユニット（酸素富化手段）
４  酸素富化膜
６  ユニット排出口
９  ファン（送風部）
１０  ポンプ（吸引手段）
１２  吐出部
１３  ヘッドセットユニット（酸素富化空気吐出手段）
２１  吐出部
２３  第一の連結管(チューブ)
２４  第二の連結管(チューブ)
【図１】
2005111041.tif 000003
【図２】
2005111041.tif 000004
【図３】
2005111041.tif 000005
【図４】
2005111041.tif 000006
【図５】
2005111041.tif 000007
【図６】
2005111041.tif 000008
【図７】
2005111041.tif 000009
【図８】
2005111041.tif 000010
【図９】
2005111041.tif 000011
【図１０】
2005111041.tif 000012
【図１１】
2005111041.tif 000013
【図１２】
2005111041.tif 000014
【図１３】
2005111041.tif 000015
【図１４】
2005111041.tif 000016
【図１５】
2005111041.tif 000017
【図１６】
2005111041.tif 000018
【図１７】
2005111041.tif 000019
【図１８】
2005111041.tif 000020
【図１９】
2005111041.tif 000021
【図２０】
2005111041.tif 000022
【図２１】
2005111041.tif 000023